(57)【要約】      （修正有）【課題】バスト本来の美しさを演出するブラジャーを提供する。【解決手段】一対のカップと、一対のカップを連結するカップ連結部と、カップの輪郭に沿ってカップ内側部からカップ下部を経てカップ外側部にかけて設けられた弾性ワイヤーと、カップ外側部及び弾性ワイヤーに逢着した一対の弾性を有する脇バンドと脇バンドの端部に設けられた係合部とを含むブラジャーにおいて、カップは、対向する内側部に縦方向のカット部を有するブラジャーである。【選択図】図１
0003131662.tif 000002
【実用新案登録請求の範囲】
【請求項１】
一対のカップと、一対のカップを連結するカップ連結部と、カップの輪郭に沿ってカップ内側部からカップ下部を経てカップ外側部にかけて設けられた弾性ワイヤーと、カップ外側部及び弾性ワイヤーに逢着した一対の弾性を有する脇バンドと脇バンドの端部に設けられた係合部とを含むブラジャーにおいて、
上記カップは、対向する内側部に縦方向のカット部を有することを特徴とするブラジャー。
【請求項２】
上記カット部は、カップ上部よりカップ下部の弾性ワイヤーに至ることを特徴とする請求項１に記載のブラジャー。
【請求項３】
上記脇バンドは、カップ側の強弾性部材と係合部側の弱弾性部材とから構成されていることを特徴とする請求項１又は２に記載のブラジャー。
【考案の詳細な説明】
【技術分野】
【０００１】
本考案は、婦人用のブラジャーであって、バストに主導権を持たせるようにしたブラジャーに関する。
【背景技術】
【０００２】
従来より、婦人用のブラジャーについては、例えば特許文献１〜３にも開示されているように多数の提案がされている。
ところが従来のブラジャーでは、左右のバストの大きさが基本的に異なるのに、このような点に配慮が払われてこなかった。
【０００３】
このため従来のヒモ付きブラジャーでは、カップは上記の点に配慮しないで出来上がっているのでしっくりとした装着感がないという問題があった。またヒモなしブラジャーでは、装着感が弱く感じられるのでホックだけではしっかり付かなかった。
また従来のヒモ付きブラジャーでは、ワイヤーで左右のバストを支え、ヒモで引っ張り上げているため、左右のバストの違いをフォローできなかった。またヒモなしブラジャーでは、バストを支えているのがカップ下部のワイヤーと脇バンドであるため、カップは、小さめで、ずれないようにきつめのデザインとなり、バストがつぶれることもあった。さらにカップの下部にパットを入れないとなりたたない可能性がある。
【０００４】
このように従来のブラジャーでは、バストに主導権がなく、左右のバストの大きさの違いに注意を払わなかったため上記のような不都合があった。
【特許文献１】実用新案登録第３０２０７７７号公報
【特許文献２】特開２００３−２３９１０６号公報
【特許文献３】特開２００５−１５４９９１号公報
【考案の開示】
【考案が解決しようとする課題】
【０００５】
したがって本考案は、従来のブラジャーの欠点を除去し、バスト本来の美しさを演出するブラジャーを提供することを課題とする。
【課題を解決するための手段】
【０００６】
本考案の課題を解決するための具体的な手段は、次のとおりである。
（１）一対のカップと、一対のカップを連結するカップ連結部と、カップの輪郭に沿ってカップ内側部からカップ下部を経てカップ外側部にかけて設けられた弾性ワイヤーと、カップ外側部及び弾性ワイヤーに逢着した一対の弾性を有する脇バンドと脇バンドの端部に設けられた係合部とを含むブラジャーにおいて、
上記カップは、対向する内側部に縦方向のカット部を有することを特徴とするブラジャー。
（２）上記カット部は、垂直にカップ上部よりカップ下部の弾性ワイヤーに至ることを特徴とする（１）に記載のブラジャー。
（３）上記脇バンドは、カップ側の強弾性部材と係合部側の弱弾性部材とから構成されていることを特徴とする（１）又は（２）に記載のブラジャー。
【考案の効果】
【０００７】
本考案では、特に一対のカップの対向する内側部に縦方向のカット部を有するため次のような効果がある。
（１）バスト本来の綺麗な膨らみを持ち丸みのある美しい形のバストが得られる。またバストがボール球の形状となり、バストトップが高い位置にくる。さらに、脇側、胸下のぜい肉がすっきりし、体型が改善される。
（２）バストの形を膨らみのある美しい形に演出することができる。またバストが中央側に寄り、圧迫感がなく、カップの中でバストがつぶれたりカップが余ったりすることがない。
【考案を実施するための最良の形態】
【０００８】
本考案に係るブラジャーについて、図面を参照して詳細に説明する。
図１は、本考案に係るブラジャーの展開模式図であり、図２は、ブラジャーの装着模式図である。
【０００９】
図１において、１はカップ、２は一対のカップを連結するカップ連結部、３はカップの輪郭に沿ってカップ内側部からカップ下部を経てカップ外側部にかけて設けられた弾性ワイヤーである。カップ連結部は伸縮性のあるゴムのような弾性部材で構成するのが好ましい。また弾性ワイヤーは、布材で適宜被覆されている。カップ外側部及びカップ外側部の弾性ワイヤーは、弾性を有する脇バンド４の端部に逢着されている。脇バンドの他の端部には、他方の脇バンドと係合するホック等を有する係合部５が設けられている。
【００１０】
脇バンド４はカップ側の強力ゴムのような強弾性部材６と係合部側のやわらかいゴムのような弱弾性部材７とから構成されている。強弾性部材６と係合部側の弱弾性部材７との比率は２：１とするのが好ましい。なお脇バンド全体を弱弾性部材で構成し、カップ寄りの脇バンドの裏側に強弾性部材を裏打ちしてもよい。
【００１１】
上記カップは、一対のカップの対向する内側部に縦方向のカット部８が設けられている。カット部は、カップの上部よりバストの谷間に沿って縦方向にカットされている。カット部の下端は、弾性ワイヤーに達するまで切り込まれている。カップ上部は、体に沿ったように、また、ブラジャー全体のデザイン等を考慮して、例えば図１のように一部カットした上部カット部９を設けた構造としてもよい。
【００１２】
以上本考案に係るブラジャーについてまとめると、次のようになる。
（１）脇バンドに強力ゴムのような強弾性部材を有するため、背中がすっきりし、脇下のぜい肉がカップ内に入り、胸下にあるぜい肉によって、バストの膨らみを形成する。
（２）弾性ワイヤーがカップに沿って設けられているため、脇下、胸下にあるぜい肉でボリュームアップしたバストの底を支える。
（３）対向するカップの内側部をバストの谷間に沿って縦にカットし、両カップの間を開けるデザインとする。カップ上部は、体に沿ったように、またデザイン等を考慮して適宜カットすることができる。
【００１３】
上記（１）（２）により、綺麗な膨らみを持つ丸みのある美しい形のバストが得られる。またバストがボール球のような形状となり、バストトップが高い位置にくる。さらに、脇下、胸下にあるぜい肉がすっきりし、体型が改善される。
上記（３）により、バスト本来の形を膨らみのある美しい形に演出することができる。またカット部８が有るためバストが中央側に寄り、圧迫感がなく、カップの中でバストがつぶれたりカップが余ったりすることがない。
【００１４】
本考案の基本デザインはヒモなしブラジャーであるが、ブラジャーに周知の取付具を設けて肩ヒモ付きのブラジャーとすることもできる。
【図面の簡単な説明】
【００１５】
【図１】本考案に係るブラジャーの展開模式図である。
【図２】本考案に係るブラジャーの装着模式図である。
【符号の説明】
【００１６】
１    カップ
２    カップ連結部材
３    弾性ワイヤー
４    脇バンド
５    係合部
６    カップ側の強弾性部材
７    係合部側の弱弾性部材
８    カット部
９    上部カット部
【図１】
0003131662.tif 000003
【図２】
0003131662.tif 000004